(57)【要約】【課題】通常の使用状態に拘わらず移動先での夏時間を考慮した日時情報を容易に取得可能な電子時計を提供する。【解決手段】現在の日時を計数する計時手段と、地域ごとに設定されている夏時間実施ルールを各々記憶する記憶手段と、夏時間実施情報として、夏時間実施ルール又は夏時間の実施有無を指定するユーザ設定の何れかを選択する設定選択手段と、夏時間実施情報を用いて所定の地点での地方時を取得する地方時取得手段と、を備え、地方時取得手段は、設定選択手段によりユーザ設定が選択されている場合に、地方時が取得された前地点において計数される地方時と、新たに地方時が取得される新地点において計数される地方時とが等しい所定の範囲内に前地点と新地点とが属するか否かを判別する移動判別手段と、所定の範囲内に無い場合に、夏時間実施ルールに基づき地方時を取得する夏時間実施情報切替手段と、を備える。【選択図】図４
2016024026.tif 000002
【特許請求の範囲】
【請求項１】
現在の日時を計数する計時手段と、
地域ごとに設定されている夏時間実施ルールを各々記憶する記憶手段と、
夏時間実施情報として、前記夏時間実施ルール又は夏時間の実施有無を指定するユーザ設定の何れかを選択する設定選択手段と、
前記夏時間実施情報を用いて所定の地点での地方時を取得する地方時取得手段と、
を備え、
前記地方時取得手段は、
前記設定選択手段により前記ユーザ設定が選択されている場合に、前回地方時が取得された前地点において計数される地方時と、新たに地方時が取得される新地点において計数される地方時とが等しい所定の範囲内に前記前地点と前記新地点とが属するか否かを判別する移動判別手段と、
前記所定の範囲内に無い場合に、前記夏時間実施ルールに基づいて地方時を取得する夏時間実施情報切替手段と、
を備える
ことを特徴とする電子時計。
【請求項２】
現在位置情報を取得する測位手段を備え、
前記地方時取得手段は、前記測位手段により前記現在位置情報が取得された場合に当該現在位置情報に応じた地方時を取得する
ことを特徴とする請求項１記載の電子時計。
【請求項３】
前記所定の範囲は、前記前地点と同一の前記夏時間実施ルールが適用され、且つ、当該前地点と同一のタイムゾーンに属する範囲であることを特徴とする請求項１又は２記載の電子時計。
【請求項４】
前記所定の範囲は、更に、あらかじめ定められた行政単位内であることを特徴とする請求項３記載の電子時計。
【請求項５】
前記夏時間実施ルールは、地理座標に従って、各々、前記所定の範囲の内外を跨がない区域ごとに記憶され、前記新地点の地理座標に対応する前記夏時間実施ルールが読み出されることを特徴とする請求項１〜４の何れか一項に記載の電子時計。
【請求項６】
前記地方時取得手段により取得された地方時を表示する表示手段を備え、
前記地方時取得手段は、前記表示手段による表示が更新されるごとに前記地方時を取得する
ことを特徴とする請求項１〜５の何れか一項に記載の電子時計。
【請求項７】
前記ユーザ設定を入力するための操作手段を備えることを特徴とする請求項１〜６の何れか一項に記載の電子時計。
【発明の詳細な説明】
【技術分野】
【０００１】
この発明は、電子時計に関する。
【背景技術】
【０００２】
従来、夏時間（Daylight Saving Time）の実施期間中に計数、表示する日時を標準時から夏時間にシフトさせることが可能な電子時計がある。この電子時計では、地域ごとの夏時間実施ルールが予め記憶保持され、設定された地域の夏時間実施ルールが読み出されて当該地域における夏時間実施期間において、日時が標準時からシフト時間分だけシフトされて計数、表示される（例えば、特許文献１）。
【０００３】
また、従来、ユーザにより設定された、又は受信された電波により取得された位置情報に基づいて、当該位置に応じた日時（地方時）を表示させる機能を有する電子時計がある。この電子時計では、旅行などで異なるタイムゾーンの地域に移動した際に、ユーザの操作を要さず、又は、容易な操作のみで当該地域の地方時を表示させることが出来る。
【０００４】
しかしながら、ユーザの使い方に応じて特定の場所で夏時間の表示を行わない方が良い場合や、夏時間の実施ルールが変更になって、記憶されている夏時間実施ルールとは異なる状態に手動で切り替える必要が生じる場合がある。これに対し、電子時計には、夏時間への対応を自動で行わせない設定や、手動で夏時間を実施中に設定して所定時間（例えば、１時間）時間をシフトさせる設定が可能なものがある。
【先行技術文献】
【特許文献】
【０００５】
【特許文献１】特開２０１１−４８７７７号公報
【発明の概要】
【発明が解決しようとする課題】
【０００６】
しかしながら、夏時間への対応を自動で行わせない手動設定が可能な電子時計において、旅行などで異なる地域に移動した場合に手動設定が維持されると、当該旅行先での夏時間の実施有無を考慮した地方時の情報をユーザが容易に取得出来なくなるという課題がある。
【０００７】
この発明の目的は、通常の使用状態に拘わらず移動先での夏時間を考慮した日時情報を容易に取得可能な電子時計を提供することにある。
【課題を解決するための手段】
【０００８】
本発明は、上記目的を達成するため、
現在の日時を計数する計時手段と、
地域ごとに設定されている夏時間実施ルールを各々記憶する記憶手段と、
夏時間実施情報として、前記夏時間実施ルール又は夏時間の実施有無を指定するユーザ設定の何れかを選択する設定選択手段と、
前記夏時間実施情報を用いて所定の地点での地方時を取得する地方時取得手段と、
を備え、
前記地方時取得手段は、
前記設定選択手段により前記ユーザ設定が選択されている場合に、前回地方時が取得された前地点において計数される地方時と、新たに地方時が取得される新地点において計数される地方時とが等しい所定の範囲内に前記前地点と前記新地点とが属するか否かを判別する移動判別手段と、
前記所定の範囲内に無い場合に、前記夏時間実施ルールに基づいて地方時を取得する夏時間実施情報切替手段と、
を備える
ことを特徴とする電子時計である。
【発明の効果】
【０００９】
本発明に従うと、通常の使用状態に拘わらず移動先での夏時間を考慮した日時情報を容易に取得することが出来るという効果がある。
【図面の簡単な説明】
【００１０】
【図１】本発明の実施形態の電子時計の機能構成を示すブロック図である。
【図２】時差テーブルの内容の一部の例を示す図表である。
【図３】二次元マップを用いた区域分割の例を示す図である。
【図４】ＧＰＳ日時取得処理の制御手順を示すフローチャートである。
【図５】現在地設定処理の制御手順を示すフローチャートである。
【発明を実施するための形態】
【００１１】
以下、本発明の実施の形態を図面に基づいて説明する。
図１は、本発明の実施形態の電子時計１の機能構成を示すブロック図である。
【００１２】
電子時計１は、ＣＰＵ４１（Central Processing Unit）（地方時取得手段、設定選択手段、移動判別手段、夏時間実施情報切替手段）と、ＲＯＭ４２（Read Only Memory）（記憶手段）と、ＲＡＭ４３（Random Access Memory）と、発振回路４４と、分周回路４５と、計時回路４６（計時手段）と、表示部４７（表示手段）と、表示ドライバ４８と、操作部４９（操作手段）と、電源部５０と、ＧＰＳ受信処理部５１（測位手段）及びその受信アンテナ５２などを備える。
【００１３】
ＣＰＵ４１は、各種演算処理を行い、電子時計１の全体動作を統括制御する。ＣＰＵ４１は、ＲＯＭ４２から読み出された制御プログラムをＲＡＭ４３にロードして日時の表示や各種機能に係る演算制御や表示などの各種動作処理を行う。また、ＣＰＵ４１は、ＧＰＳ受信処理部５１を動作させて、測位衛星からの電波の受信により求められた日時情報や位置情報を取得する。
【００１４】
ＲＯＭ４２は、マスクＲＯＭや書き換え可能な不揮発性メモリなどであり、予め格納された制御プログラムや初期設定データが記憶されている。制御プログラムの中には、測位衛星から各種情報を取得するための各種処理の制御に係るプログラム４２１が含まれる。また、初期設定データとしては、例えば、区分けされた世界の各地がそれぞれ属するタイムゾーンに係る情報や夏時間実施ルールに係る情報を記憶した時差テーブル４２２が含まれる。この時差テーブル４２２については、後述する。
【００１５】
ＲＡＭ４３は、ＳＲＡＭやＤＲＡＭなどの揮発性のメモリであり、ＣＰＵ４１に作業用のメモリ空間を提供して一時データを記憶すると共に、各種設定データを記憶する。各種設定データには、電子時計１のホーム都市設定や、日時の計数、表示における夏時間の適用可否に係る設定が含まれる。
【００１６】
発振回路４４は、予め定められた所定の周波数信号を生成して出力する。この発振回路４４には、例えば、水晶発振器が用いられている。
【００１７】
分周回路４５は、発振回路４４から入力された周波数信号を計時回路４６やＣＰＵ４１が利用する周波数の信号に分周して出力する。この出力信号の周波数は、ＣＰＵ４１による設定に基づいて変更することが可能であっても良い。また、発振回路４４の周波数のまま出力しても良い。
【００１８】
計時回路４６は、入力された信号の回数を計数して初期値に加算することで現在の日時を計数する。計時回路４６としては、ソフトウェア的にＲＡＭに記憶させる値を変更させるものであっても良いし、或いは、専用のカウンタ回路を備えていても良い。計時回路４６の計数する日時は、特には限られないが、所定のタイミングからの累積時間、ＵＴＣ日時（協定世界時）、又は予め設定されたホーム都市の日時（地方時）などのうち何れかである。また、この計時回路４６の計数する日時自体は、必ずしも年月日、時分秒の形式で保持される必要がない。
【００１９】
表示部４７は、例えば、液晶ディスプレイ（ＬＣＤ）や有機ＥＬ（Electro-Luminescent）ディスプレイなどの表示画面を備え、ドットマトリクス方式及びセグメント方式の何れか又はこれらの組み合わせにより日時や各種機能に係るデジタル表示動作を行う。表示ドライバ４８は、表示画面の種別に応じた駆動信号をＣＰＵ４１からの制御信号に基づいて表示部４７に出力して表示画面上に表示を行わせる。
【００２０】
操作部４９は、ユーザからの入力操作を受け付けて、当該入力操作に応じた電気信号を入力信号としてＣＰＵ４１に出力する。この操作部４９には、例えば、押しボタンスイッチやりゅうずスイッチが含まれる。
或いは、表示部４７の表示画面にタッチセンサが設けられ、当該タッチセンサへのユーザの接触動作に係る接触位置や接触態様に応じた操作信号を出力するタッチパネルとして機能させることで、表示部４７と操作部４９とが一体的に設けられても良い。
【００２１】
電源部５０は、電子時計１の動作に係る電力を所定の電圧で各部に供給する。電源部５０には、ここでは、ソーラバッテリと二次電池が用いられている。ソーラバッテリは、ソーラパネルに入射した光により起電力を生じてＣＰＵ４１などの各部に電力供給を行うと共に、余剰電力が生じた場合には、当該電力により二次電池に蓄電する。一方、ソーラパネルへの外部からの入射光量により発電可能な電力が消費電力に対して不足している場合には、二次電池から電力が供給される。
【００２２】
ＧＰＳ受信処理部５１は、受信アンテナ５２を介して測位衛星からの電波に同調してＣ／Ａコードを同定、捕捉することで当該電波を受信し、測位衛星が送信する航法メッセージを復調、復号して必要な情報を取得する。また、ＧＰＳ受信処理部５１は、測位情報の取得時には、複数の衛星に対して航法メッセージの復調、復号を行い、得られたデータを用いて現在位置を算出して現在位置情報として出力する。ＧＰＳ受信処理部５１としては、通常、専用の処理回路が一チップで形成されたモジュールが用いられ、ＣＰＵ４１、ＲＯＭ４２及びＲＡＭ４３とは別個に、制御を行うＣＰＵ、及び設定データや測位衛星の予測軌道情報などを記憶する記憶部を備える。ＧＰＳ受信処理部５１は、電源部５０から直接電力が供給され、そのオンオフがＣＰＵ４１の制御信号により切り替えられる。
【００２３】
次に、本実施形態の電子時計１における表示日時への夏時間適用動作について説明する。
電子時計１では、操作部４９へのユーザによる入力操作に基づいて、夏時間の適用設定を自動モード（ＡＵＴＯ）、手動適用モード（ＤＳＴ）及び手動解除モード（ＳＴＤ）の何れかに切替可能となっている。この設定は、ＲＡＭ４３に記憶される。手動適用モード（ＤＳＴ）及び手動解除モード（ＳＴＤ）では、ユーザの入力操作により夏時間の実施有無が設定（ユーザ設定）される。
【００２４】
夏時間の適用設定が切り替えられた場合や、新たに日時情報が取得された場合、この夏時間の適用設定が参照されて、表示対象の地域（所定の地点）の地方時に対して当該設定に応じた夏時間実施情報が取得され、必要に応じて標準時から夏時間へのシフトが行われて新たな日時データとされたり、表示に用いられたりする。
【００２５】
図２は、時差テーブル４２２の内容の一部の例を示す図表である。
自動モードで夏時間実施情報として日時データに対して適用される夏時間実施ルールは、この時差テーブル４２２に記憶されている。この時差テーブル４２２では、予め、世界各地を複数の区域に分割した当該区域ごとに時差及び夏時間実施ルールが設定されている。夏時間実施ルールには、夏時間の実施期間とシフト時間とが含まれる。また、この時差テーブル４２２では、少なくともタイムゾーン及び夏時間実施ルールのうち何れかが異なる地点が異なる地域となるように設定された地域ごとに、当該地域に固有の地域番号が振られている。この地域は、タイムゾーンや夏時間実施ルールに加えて、国や州といった所定の行政単位ごとに区切られていても良い。
【００２６】
各区域は、例えば、地理的に略均等な範囲で分割設定（即ち、地理座標、即ち緯度経度に従ってそれぞれ等間隔など）される。従って、タイムゾーンや夏時間実施ルールの設定範囲よりも十分小さい面積で世界を均等に分割していくことで、各区域の境界を容易に設定し、且つ、異なるタイムゾーン又は夏時間実施ルールの地点を微小な誤差範囲内で異なる区域に含ませることが出来る。
この場合の各区域の範囲又は境界を示すデータは、時差テーブル４２２にまとめて記憶されていても良いし、別途、地理座標（緯度経度）を区域や地域番号に変換して取得する二次元マップ（世界地図）を備えて、取得された区域に応じた時差や夏時間実施ルールの情報が参照されることとしても良い。
【００２７】
図３は、二次元マップを用いた区域分割の例を示す図である。
ここでは、例えば、世界の一部を８×１２のマトリクスにより９６区域に分割した例を示している。これらの９６区域には、各マトリクス要素の下段に示したＧ１１〜Ｇ２０の１０の地域番号の何れかが割り当てられている。このように地理座標から容易に区域や地域番号を取得して時差テーブル４２２を参照し、当該区域に応じた時差や夏時間実施ルールを取得することが出来る。この区域の分割は、数が多いほどタイムゾーンや夏時間実施ルールの適用境界に沿っての分割が可能になる一方、処理やメモリ容量の増大に繋がるので、電子時計１の処理能力に応じて適宜設定される。
【００２８】
図２では、ＵＴＣ日時（ＧＭＴ）に対して時差が＋１０時間の区域のうち４つと、＋９．５時間の区域のうち２つの設定が示され、また、＋９時間の区域のうち１つの設定（日本の設定に対応）が示されている。ここでは、地域番号が互いに異なる区域についてのみ例示しているが、複数の区域が同一の地域に属することが出来る。
【００２９】
夏時間の実施期間としては、ここでは、実施期間の種別に応じた期間番号が示されている。例えば、夏時間期間が「０」の場合には、夏時間が実施されていないことを示している。また、夏時間期間が「１１」の場合には、例えば、１０月の第１日曜午前２時から４月の第１日曜午前３時までの期間に実施されることを示す。この場合、期間信号と実際の期間とを対応させる図示略の対照表が設けられて、期間番号に対応する実施期間が参照される。或いは、時差テーブル４２２にこれらの期間が直接記憶されていても良い。
【００３０】
シフト時間は、夏時間の実施期間中における標準時からのシフト量を示す。このシフト時間としては、夏時間が実施されない場合に「０」が記憶され、実施される場合には、「０」以外の値が記憶される。夏時間の適用設定が手動適用モードである場合、当該地域が元々夏時間実施地域である場合には、このシフト時間のみが読み出されて用いられる。一方、元々夏時間の実施地域でない地域において夏時間が手動で適用されている場合には、所定の初期値、例えば、＋１時間のシフトがなされる。この初期値は、操作部４９へのユーザの入力操作により変化させることが可能であっても良い。
【００３１】
ＧＰＳ衛星からの電波受信によりＵＴＣ日時が取得された場合、これらの二次元マップと時差テーブル４２２とが参照されて、予め電子時計１で設定されている位置（都市）や当該電波受信により併せて取得された現在位置に基づいて、時差（ＴＺ）及び夏時間に係るシフト量（ＳＴ）が取得される。そして、現在位置の属する地域の地方時（ＬＴ）が、ＬＴ＝ＵＴＣ＋ＴＺ＋ＳＴにより求められる。
【００３２】
次に、電子時計１における日時修正動作について説明する。
図４は、本実施形態の電子時計１で実行されるＧＰＳ日時取得処理のＣＰＵ４１による制御手順を示すフローチャートである。
【００３３】
このＧＰＳ日時取得処理は、例えば、一日に一回最初の所定の条件を満たしたタイミングで定期的に実行されたり、操作部４９への入力操作に基づいて随時実行されたりする。この所定の条件としては、例えば、屋外の太陽光に相当する強度の光量でソーラバッテリによる発電起電力が得られたタイミングとすることが出来る。
【００３４】
ＧＰＳ日時取得処理が開始されると、図４（ａ）に示すように、ＣＰＵ４１は、ＧＰＳ受信処理部５１を動作させて、ＧＰＳ受信処理部５１のＣＰＵにＧＰＳ衛星などの測位衛星からの電波受信を開始させて日時を算出させ、当該算出された日時に係る情報を取得する（ステップＳ１０１）。また、ＣＰＵ４１は、現在位置情報を取得する（ステップＳ１０２）。この位置情報は、ＧＰＳ受信処理部５１の測位動作によりＧＰＳ受信処理部５１で算出された場合には、当該ＧＰＳ受信処理部５１から取得され、ＧＰＳ受信処理部５１から取得されない場合には、この時点で電子時計１において設定され、ＲＡＭ４３に記憶されている都市の位置を取得する。
【００３５】
ＣＰＵ４１は、後述する地方時変換処理を実行する（ステップＳ１０３）。それから、ＣＰＵ４１は、計時回路４６の日時を修正し、表示部４７に表示させている日時の修正を行う（ステップＳ１０４）。そして、ＣＰＵ４１は、ＧＰＳ日時取得処理を終了する。
【００３６】
ステップＳ１０３の処理で地方時変換処理が呼び出されると、図４（ｂ）に示すように、ＣＰＵ４１は、現在の夏時間適用設定が手動適用モード（ＤＳＴ）又は手動解除モード（ＳＴＤ）の何れかであるか否かを判別する（ステップＳ３０１）。何れでもないと判別された場合には（ステップＳ３０１で“ＮＯ”）、ＣＰＵ４１は、現在の夏時間適用設定である自動モード（ＡＵＴＯ）のまま、ステップＳ１０２の処理で取得された現在位置に応じた時差と夏時間実施ルールを適用して地方時を算出する（ステップＳ３０４）。そして、ＣＰＵ４１は、地方時変換処理を終了して処理をＧＰＳ日時取得処理に戻す。
【００３７】
手動適用モード（ＤＳＴ）又は手動解除モード（ＳＴＤ）の何れかであると判別された場合には（ステップＳ３０１で“ＹＥＳ”）、ＣＰＵ４１は、ステップＳ１０２の処理で取得された現在位置（新地点）が、前回取得された位置（前地点）から所定の範囲内であるか否かを判別する（ステップＳ３０２）。所定の範囲としては、ここでは、例えば、同一の地域番号の地域内であることとすることが出来る。
【００３８】
現在位置と前回位置とが所定の範囲内に無いと判別された場合には（ステップＳ３０２で“ＮＯ”）、ＣＰＵ４１は、夏時間適用設定を自動モード（ＡＵＴＯ）に変更し、現在位置に応じた時差と夏時間実施ルールを適用して地方時を算出する（ステップＳ３０４）。
【００３９】
一方、現在位置と前回位置とが所定の範囲内にあると判別された場合には（ステップＳ３０２で“ＹＥＳ”）、ＣＰＵ４１は、夏時間適用設定を現在の設定、即ち、手動適用モード（ＤＳＴ）又は手動解除モード（ＳＴＤ）のまま維持し、時差テーブル４２２から現在位置に応じた時差を取得して、時差及び夏時間の反映を行った地方時を算出する（ステップＳ３０３）。そして、ＣＰＵ４１は、地方時変換処理を終了して処理をＧＰＳ日時取得処理に戻す。
【００４０】
図５は、本実施形態の電子時計１で実行される現在地設定処理のＣＰＵ４１による制御手順を示すフローチャートである。
【００４１】
この現在地設定処理は、上述のＧＰＳ日時取得処理のステップＳ１０１の処理を省略した点を除き、ＧＰＳ日時取得処理と同一であり、個々の処理内容に係る説明を省略する。
【００４２】
即ち、この現在地設定処理は、測位衛星からの日時情報の取得とは関係なく、ユーザ操作や外部からの位置情報受信などに応じて現在地情報が設定されたタイミングで実行され、当該現在地と、元の位置との差に応じた地方時の算出が行われる。
【００４３】
以上のように、本実施形態の電子時計１は、現在の日時を計数する計時回路４６と、地域ごとに設定されている夏時間実施ルールを各々記憶するＲＯＭ４２と、ＣＰＵ４１とを備える。ＣＰＵ４１は、夏時間実施情報として、前記夏時間実施ルール又は夏時間の実施有無を指定するユーザ設定の何れかを選択し（設定選択手段）、この夏時間実施情報を用いて所定の地点での地方時を取得する（地方時取得手段）。更に、ＣＰＵ４１は、夏時間実施情報としてユーザ設定が選択されている場合に、前回地方時が取得された前地点において計数される地方時と、新たに地方時が取得される新地点において計数される地方時とが等しい所定の範囲内に前地点と新地点とが属するか否かを判別し（移動判別手段）、所定の範囲内に無い場合に、夏時間実施ルールに基づいて地方時を取得する（夏時間実施情報切替手段）。
このような構成により、ローカルに夏時間実施ルールが変更されて手動で夏時間実施有無に係る設定がなされている場合などに、移動先で適切に夏時間実施ルールが適用される。また、ユーザが一時的に夏時間の設定を解除していた場合でも、移動先などで用途が変化するような場合には、一度手動設定から夏時間実施ルールを適用した通常の表示に戻すことで、正確な地方時を表示させて混乱を招かないようにすることが出来る。即ち、通常の使用状態に拘わらず移動先での夏時間を考慮した日時情報を容易に取得することが出来る。
【００４４】
また、現在位置情報を取得するＧＰＳ受信処理部５１を備え、ＣＰＵ４１は、ＧＰＳ受信処理部５１により現在位置情報が取得された場合に当該現在位置情報に応じた地方時を取得する。従って、ユーザが移動した場合には、即座に夏時間実施ルールを用いて地方時を算出する必要があるか判別して必要が有る場合には切り替えることが出来るので、移動先で不正確な夏時間表示が行われることを避けることが出来る。
【００４５】
また、所定の範囲は、前地点と同一の夏時間実施ルールが適用され、且つ、前地点と同一のタイムゾーンに属する範囲であることとすることで、地方時が変更されない場合には夏時間実施情報を変更させない一方で、地方時が変更される場合には、確実に夏時間実施情報として夏時間実施ルールを適用して正確な夏時間表示を行わせることが出来る。
【００４６】
また、所定の範囲は、更に、あらかじめ定められた行政単位内であるように設定されることで、隣国などで将来的に異なる夏時間実施ルールが設定され得るような場合に対応しやすい設定とすることが出来る。
【００４７】
また、夏時間実施ルールは、地理座標に従って、各々、所定の範囲の内外を跨がない区域ごとに記憶されて、新地点の位置情報が取得されると、当該位置の地理座標に対応する夏時間実施ルールが読み出されるので、位置と夏時間実施ルールとの対応関係が複雑にならず、簡便な処理で必要な夏時間実施ルールを読み出すことが出来る。
【００４８】
また、取得された地方時を表示する表示部４７を備え、ＣＰＵ４１は、表示部４７による表示が更新されるごとに地方時を取得するので、地方時の表示を略リアルタイムで正確な現在位置に基づくものとすることが出来る。
【００４９】
また、夏時間の実施有無に係るユーザ設定を入力するための操作部４９を備えるので、夏時間の実施ルールが変更された場合に加えて、ユーザが所定の箇所で一時的に夏時間表示を調整したい場合に、容易に操作可能であると共に、このような操作の後に現在位置が移動した場合に、容易且つ確実に正確な地方時を計数、表示させることが出来る。
【００５０】
なお、本発明は、上記実施の形態に限られるものではなく、様々な変更が可能である。
例えば、上記実施の形態では、全ての区域に対してそれぞれ時差や夏時間実施ルールに係る情報を設定して時差テーブル４２２に記憶させたが、各地域についての時差や夏時間実施ルールに係る情報のみを設定し、地域番号に基づいてこれらの情報が参照されても良い。この場合、即ち、地域と区域とが等しく設定され、地理座標が直接地域番号に変換されて、当該地域番号に基づいた情報参照が行われても良い。
【００５１】
また、上記実施の形態では、各区域を略均等になるように分割したが、同国、同州内などで夏時間実施ルールが広く変化しない部分については、細かく区切らないこととしても良い。また、二次元マップを用いて区域や地域番号を同定する場合には、境界が特定の緯度線や経度線に沿わずに設定されても比較的容易に処理を行うことが出来る。
【００５２】
また、上記実施の形態では、夏時間の実施有無を定める設定は、ユーザの操作部４９への入力操作により行われたが、Bluetooth（登録商標）などの通信手段を介して外部機器から設定が取得可能であっても良い。
【００５３】
また、上記実施の形態では、地域番号の変化に応じて夏時間実施有無に係るユーザ設定から夏時間実施ルールへの切り替えを行ったが、これに限られない。同一の地域内であっても、所定距離以上の移動や他の区域への移動などに応じて切り替えを行っても良い。
【００５４】
また、上記実施の形態では、取得された地方時を表示させる場合について説明したが、取得された地方時がアラーム機能などの各種報知動作に用いられるために計数されるだけであっても良い。
【００５５】
また、上記実施の形態では、ＧＰＳ衛星からの電波を受信する電波時計を例に挙げて説明したが、位置情報の取得、設定が可能であれば、測位衛星からの電波を受信する構成は必要無く、日時の修正は、例えば、長波長帯の標準電波の受信や携帯基地局からの日時情報などによっても良い。
【００５６】
また、上記実施の形態では、デジタル表示機能を備えた表示部４７について説明したが、日時の表示が可能な電子時計であれば、指針などを用いて当該指針の指し示す向きにより表示を行うアナログ式電子時計であっても良い。
その他、上記実施の形態で示した構成や制御内容及びその手順などの具体的な細部は、本発明の趣旨を逸脱しない範囲において適宜変更可能である。
【００５７】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５８】
［付記］
＜請求項１＞
現在の日時を計数する計時手段と、
地域ごとに設定されている夏時間実施ルールを各々記憶する記憶手段と、
夏時間実施情報として、前記夏時間実施ルール又は夏時間の実施有無を指定するユーザ設定の何れかを選択する設定選択手段と、
前記夏時間実施情報を用いて所定の地点での地方時を取得する地方時取得手段と、
を備え、
前記地方時取得手段は、
前記設定選択手段により前記ユーザ設定が選択されている場合に、前回地方時が取得された前地点において計数される地方時と、新たに地方時が取得される新地点において計数される地方時とが等しい所定の範囲内に前記前地点と前記新地点とが属するか否かを判別する移動判別手段と、
前記所定の範囲内に無い場合に、前記夏時間実施ルールに基づいて地方時を取得する夏時間実施情報切替手段と、
を備える
ことを特徴とする電子時計。
＜請求項２＞
現在位置情報を取得する測位手段を備え、
前記地方時取得手段は、前記測位手段により前記現在位置情報が取得された場合に当該現在位置情報に応じた地方時を取得する
ことを特徴とする請求項１記載の電子時計。
＜請求項３＞
前記所定の範囲は、前記前地点と同一の前記夏時間実施ルールが適用され、且つ、当該前地点と同一のタイムゾーンに属する範囲であることを特徴とする請求項１又は２記載の電子時計。
＜請求項４＞
前記所定の範囲は、更に、あらかじめ定められた行政単位内であることを特徴とする請求項３記載の電子時計。
＜請求項５＞
前記夏時間実施ルールは、地理座標に従って、各々、前記所定の範囲の内外を跨がない区域ごとに記憶され、前記新地点の地理座標に対応する前記夏時間実施ルールが読み出されることを特徴とする請求項１〜４の何れか一項に記載の電子時計。
＜請求項６＞
前記地方時取得手段により取得された地方時を表示する表示手段を備え、
前記地方時取得手段は、前記表示手段による表示が更新されるごとに前記地方時を取得する
ことを特徴とする請求項１〜５の何れか一項に記載の電子時計。
＜請求項７＞
前記ユーザ設定を入力するための操作手段を備えることを特徴とする請求項１〜６の何れか一項に記載の電子時計。
【符号の説明】
【００５９】
１     電子時計
４１   ＣＰＵ
４２   ＲＯＭ
４２１ プログラム
４２２ 時差テーブル
４３   ＲＡＭ
４４   発振回路
４５   分周回路
４６   計時回路
４７   表示部
４８   表示ドライバ
４９   操作部
５０   電源部
５１   ＧＰＳ受信処理部
５２   受信アンテナ
【図１】
2016024026.tif 000003
【図２】
2016024026.tif 000004
【図３】
2016024026.tif 000005
【図４】
2016024026.tif 000006
【図５】
2016024026.tif 000007